(57)【要約】【課題】ロ−ラ表面の剥離がないと共に熱影響を受けて変形することがない鋳物砂再生装置用ロ−ラユニット及び装置を提供することを目的とする。【解決手段】ロ−ラ回転軸２３に、ころ軸受２４を介してハウジング２５を回転自在に嵌合し、該ハウジング２５の外周に環状窒化珪素ロ−ラ２６を嵌合すると共にロ−ラ押え２７及び止めボルト２８を介して前記ハウジング２５に固定したことを特徴とする鋳物砂再生装置用ロ−ラユニット及び装置。【選択図】　　　図３
2004066292.tif 000002
【特許請求の範囲】
【請求項１】
ロ−ラ回転軸２３に、ころ軸受２４を介してハウジング２５を回転自在に嵌合し、該ハウジング２５の外周に環状ロ−ラ２６を嵌合すると共にロ−ラ押え２７及び止めボルト２８を介して前記ハウジング２５に固定したことを特徴とする鋳物砂再生装置用ロ−ラユニット。
【請求項２】
前記ローラがセラミックスの一体成形で製造されることを特徴とする請求項１に記載の鋳物砂再生装置用ロ−ラユニット。
【請求項３】
前記ローラが窒化珪素で製造されることを特徴とする請求項２に記載の鋳物砂再生装置用ロ−ラユニット。
【請求項４】
砂供給シュ−ト３の下方に、円形底板５Ａ、傾斜周壁５Ｂ、堰５Ｃから成る回転ドラム５を配設し、該回転ドラム５に該傾斜周壁５Ｂに対して若干の隙間を設けて直角にしてロ−ラを配設した鋳物砂再生装置において、ロ−ラ回転軸２３に、ころ軸受２４を介してハウジング２５を回転自在に嵌合し、該ハウジング２５の外周に環状ロ−ラ２６を嵌合すると共にロ−ラ押え２７及び止めボルト２８を介して前記ハウジング２５に固定したことを特徴とする鋳物砂再生装置。
【請求項５】
前記ローラがセラミックスの一体成形で製造されることを特徴とする請求項４に記載の鋳物砂再生装置。
【請求項６】
前記ローラが窒化珪素で製造されることを特徴とする請求項５に記載の鋳物砂再生装置。
【発明の詳細な説明】
【０００１】
【発明の属する技術分野】
本発明は、鋳物を鋳造して鋳造品を取り出した後の鋳物砂を再使用できるように処理するための鋳物砂再生装置用ロ−ラユニット及び装置に関する。
【０００２】
【従来の技術】
従来、上記のような鋳物砂再生装置としては、特開平７−８８５９２号公報に示される装置が一般に使用され公知になっている。
このような鋳物砂再生装置は、使用済鋳物砂を回転ドラムにより壁面に向けて投射衝突させるものに比べて砂の破砕が少なく、再生砂に使用するバインダの添加量を減少させることができる等有利な点が多くあった。
【０００３】
【発明が解決しようとする課題】
ロ−ラと回転ドラムを使用する特開平７−８８５９２号公報に示されるような装置においては、ロ−ラは、耐摩耗性の関係から金属母材の表面にセラミックチップを接着させたものが使用されている。しかしながら、砂再生に伴ってロ−ラの温度が高まり金属ロ−ラ母材とセラミックチップを接着させている接着剤の接着強度が低下し、装置の振動、圧力、剪断力に耐えられずセラミックチップが剥離する問題があった。またロ−ラ表面に接着されているセラミックとロ−ラの母材である金属の熱膨張率の違いにより熱影響を受けた後、母材が変形して次の組み付けができなくなる不具合も生じている。
【０００４】
本発明は上記の問題に鑑みて成されたもので、ロ−ラ表面の剥離がないと共に熱影響を受けて変形することがない鋳物砂再生装置用ロ−ラユニット及び装置を提供することを目的とする。
【０００５】
【課題を解決するための手段】
上記の目的を達成するために本発明における鋳物砂再生装置用ロ−ラユニットは、ロ−ラ回転軸に、ころ軸受を介してハウジングを回転自在に嵌合し、該ハウジングの外周に環状スラミックスロ−ラを嵌合すると共にロ−ラ押え及び止めボルトを介して前記ハウジングに固定したことを特徴とする。
【０００６】
また本発明における鋳物砂再生装置は、砂供給シュ−トの下方に、円形底板、傾斜周壁、堰から成る回転ドラムを配設し、該回転ドラムに該傾斜周壁に対して若干の隙間を設けて直角にしてロ−ラを配設した鋳物砂再生装置において、ロ−ラ回転軸に、ころ軸受を介してハウジングを回転自在に嵌合し、該ハウジングの外周に環状スラミックスロ−ラを嵌合すると共にロ−ラ押え及び止めボルトを介して前記ハウジングに固定したことを特徴とする。
【０００７】
【発明の実施の形態】
以下本発明の実施の形態を図面に基づいて詳しく説明する。図１、２において円筒部１の下部に円錐筒部２を連結した処理槽Ｔの上端部には漏斗状の砂供給シュ−ト３が吊設されており、該砂供給シュ−ト３の下端は図示されないゲ−トを介して常に一定流量の砂が流下される砂落し口４が設けられている。
【０００８】
該砂供給シュ−ト３の下方には回転ドラム５が配設されており、該回転ドラム５は、円形底板５Ａと、該円形底板５Ａの周端から斜め上外方にのびる傾斜周壁５Ｂと、該傾斜周壁５Ｂの上端から内側に張り出す堰５Ｃと、をそれぞれ一体的に連結した構成にされている。
【０００９】
該回転ドラム５における円形底板５Ａの下面中央部には回転軸６が固着されており、該回転軸６は中空状の支持フレ−ム７上に取り付けられた軸受８を介して回転自在に支持されている。該回転軸６の下端にはＶプ−リ９が取付けられていて、前記処理槽Ｔの外側において前記支持フレ−ム７上に取付けられたモ−タ１０の回転軸１１にＶベルト１２及びＶプ−リ１３を介して伝導可能に連結されている。
前記回転ドラム５内には前記傾斜周壁５Ｂに対して若干の隙間を設け、かつ傾斜周壁５Ｂに対し直角にして２つのロ−ラユニット２０、２０が配置されている。
【００１０】
次にロ−ラユニット２０、２０について図３を加えて説明する。前記円筒部１内の上部位置に設けられたフレ−ム２１、２１に軸受２２、２２を介して回転軸２３、２３が回転自在に取付けられており、図３に示すように該回転軸２３、２３の下端部にころ軸受２４、２４を介してハウジング２５、２５が回転自在に嵌合されている。また該ハウジング２５、２５の外周には環状窒化珪素ロ−ラ２６、２６が嵌合すると共にロ−ラ押え２７、２７及び止めボルト２８、２８を介して前記ハウジング２５、２５に固定されている。なお図中符号２９は蓋である。なお、環状窒素珪素ローラ２６は一体成形されたものが好ましい。一体成形するには、セラミックスグリーンを圧縮後焼結し研削して成形・加工する。この成形により応力分布が均一になり、熱の影響を受けにくくローラの破壊がなく長寿命になった。
【００１１】
このように構成されたものは、モ−タ１０を作動させて回転ドラム５を回転させながら砂供給シュ−ト３から古砂を供給することにより特開平７−８８５９２号公報に示される従来の砂再生と同様に回転ドラム５内に砂層Ｓを形成しながら再生作用が成される。一方砂再生に伴って熱が発生するが、環状ロ−ラ２６、２６は、窒化珪素により一体に形成されているため熱の影響をほとんど受けずロ−ラ表面が剥離したり、変形して次の組み付けを困難に摺るなどの問題は発生しない。なお上記ロ−ラユニット２０は、２個一対としたが１個だけであってもよい。
また、本発明の実施の形態では環状ローラとして窒化珪素を用いたが、その他のアルミナ等のセラミックスでもよい。なお、窒化珪素の場合には、より長寿命になるという利点がある。
【００１２】
【発明の効果】
本発明は上記の説明から明らかなように、ロ−ラ回転軸に、ころ軸受を介してハウジングを回転自在に嵌合し、該ハウジングの外周に環状セラミックスロ−ラを嵌合すると共にロ−ラ押え及び止めボルトを介して前記ハウジングに固定した鋳物砂再生装置用ロ−ラユニット及びこれを使用した装置としたから、ロ−ラ表面の剥離がないと共に熱影響を受け手変形することもなくなる等種々の効果がある。
【図面の簡単な説明】
【図１】本発明の鋳物砂再生装置を示す縦断面図である。
【図２】図１におけるＡ−Ａ矢視図である。
【図３】本発明のロ−ラユニットの要部を示す断面図である。
【符号の説明】
３　砂供給シュ−ト
４　砂落し口
５　回転ドラム
５Ａ　円形底板
５Ｂ　傾斜周壁
５Ｃ　堰
２０　ロ−ラユニット
２３　ロ−ラ回転軸
２４　ころ軸受
２５　ハウジング
２６　環状窒化珪素ロ−ラ
２７　ロ−ラ押え
２８　止めボルト
【図１】
2004066292.tif 000003
【図２】
2004066292.tif 000004
【図３】
2004066292.tif 000005